(57)【要約】【課題】目の疲労を反映した情報を基に、ユーザに目の疲労を的確に認知させることができるヘッドマウントディスプレイを提供する。【解決手段】画像を出力する画像出力部を有するヘッドマウントディスプレイであって、視力測定用パタンが格納された記憶部と、前記視力測定用パタンを画像出力部に表示する手段とを有することを特徴とするヘッドマウントディスプレイ。【選択図】図１
2004286833.tif 000002
【特許請求の範囲】
【請求項１】
画像を出力する画像出力部を有するヘッドマウントディスプレイであって、
視力測定用パタンを記憶する記憶部と、
前記視力測定用パタンを前記画像出力部に出力する手段と、
を有することを特徴とするヘッドマウントディスプレイ。
【請求項２】
請求項１に記載のヘッドマウントディスプレイであって、
前記記憶部は、複数の視力測定用パタンを記憶するものであり、
前記ヘッドマウントディスプレイは、さらに、前記複数の視力測定用パタンの中からいずれの視力測定用パタンを画像出力させるかの選択指示を受け付ける手段を有することを特徴とするヘッドマウントディスプレイ。
【請求項３】
請求項１および２のいずれか一項に記載のヘッドマウントディスプレイであって、さらに、
使用開始時に、視力測定をするようにユーザに促す情報を出力する手段を有することを特徴とするヘッドマウントディスプレイ。
【請求項４】
請求項１ないし３のいずれか一項に記載のヘッドマウントディスプレイであって、さらに、
視度を調整する視度調整手段を有することを特徴とするヘッドマウントディスプレイ。
【請求項５】
請求項４に記載のヘッドマウントディスプレイであって、さらに、
使用開始時に、視度調整するようにユーザに促す情報を出力する手段を有することを特徴とするヘッドマウントディスプレイ。
【請求項６】
請求項１ないし５のいずれか一項に記載のヘッドマウントディスプレイであって、さらに、
複数回視力測定を行う場合、視力測定の際に、前回視力測定した際に表示した視力測定用パタンと同じ視力測定用パタンを前記画像出力部に出力させる手段を有することを特徴とするヘッドマウントディスプレイ。
【請求項７】
請求項１ないし５のいずれか一項に記載のヘッドマウントディスプレイであって、さらに、
複数回視力測定を行う場合、視力測定の際に、前回視力測定した際に表示した視力測定用パタンと共に、少なくとも前記前回視力測定した際に表示された視力測定用パタンより大きな視力測定用パタンを前記画像出力部に出力させる手段を有することを特徴とするヘッドマウントディスプレイ。
【請求項８】
請求項１ないし７のいずれか一項に記載のヘッドマウントディスプレイであって、さらに、
複数回視力測定を行う場合、視力測定の際に、前回視力測定した際に表示した視力測定用パタンを前記画像出力部に出力し、その後に前記視力測定用パタンとは異なる表示パタンを前記画像出力部に出力させる手段を有することを特徴とするヘッドマウントディスプレイ。
【請求項９】
請求項１ないし８のいずれか一項に記載のヘッドマウントディスプレイであって、さらに、
視力測定が行われた場合は、その視力測定時から所定時間経過した後に、再度視力測定をするようにユーザに促す情報を出力する手段を有することを特徴とするヘッドマウントディスプレイ。
【発明の詳細な説明】
【０００１】
【発明の属する技術分野】
本発明は、ユーザの頭部に装着された状態で、ユーザが画像を見ることができるように画像出力を行うヘッドマウントディスプレイに関する。
【０００２】
【従来の技術】
ヘッドマウントディスプレイ（以下、ＨＭＤと略記する）は、光学系を使用して画像を目に投影する。そのため、ユーザがＨＭＤを長時間使用したとき、目の疲れについて考慮する必要がある。特開平１０−６５９９７号公報（特許文献１）には、映像表示開始時刻（基準時刻）から所定の時間が経過した場合に、ユーザに警告を与えることを特徴とする映像表示装置が記載されている。
【特許文献１】
特開平１０−６５９９７号公報
【０００３】
【発明が解決しようとしている課題】
しかし、上述の映像表示装置は、単に時間で制御するに止まっているためユーザ固有の目の疲労を反映した情報を基に、ユーザに警告を与えるものではない。したがって、特許文献１記載の技術によっては、ユーザが目の疲労を的確に知ることはできない。
【０００４】
本発明の目的は、目の疲労を反映した情報を基に、ユーザに目の疲労を的確に認知させることができるヘッドマウントディスプレイを提供することにある。
【０００５】
【課題を解決するための手段】
前記目的を達成するため、請求項１に係る発明のヘッドマウントディスプレイは、画像を出力する画像出力部を有するヘッドマウントディスプレイであって、視力測定用パタンを記憶する記憶部と、前記視力測定用パタンを前記画像出力部に出力する手段と、を有することを特徴とするヘッドマウントディスプレイである。
【０００６】
請求項２に係る発明のヘッドマウントディスプレイは、請求項１に記載のヘッドマウントディスプレイであって、前記記憶部は、複数の視力測定用パタンを記憶するものであり、前記ヘッドマウントディスプレイは、さらに、前記複数の視力測定用パタンの中からいずれの視力測定用パタンを画像出力させるかの選択指示を受け付ける手段を有することを特徴とするヘッドマウントディスプレイである。
【０００７】
請求項３に係る発明のヘッドマウントディスプレイは、請求項１および２のいずれか一項に記載のヘッドマウントディスプレイであって、さらに、使用開始時に、視力測定をするようにユーザに促す情報を出力する手段を有することを特徴とするヘッドマウントディスプレイである。
【０００８】
請求項４に係る発明のヘッドマウントディスプレイは、請求項１ないし３のいずれか一項に記載のヘッドマウントディスプレイであって、さらに、視度を調整する視度調整手段を有することを特徴とするヘッドマウントディスプレイである。
【０００９】
請求項５に係る発明のヘッドマウントディスプレイは、請求項４に記載のヘッドマウントディスプレイであって、さらに、使用開始時に、視度調整するようにユーザに促す情報を出力する手段を有することを特徴とするヘッドマウントディスプレイである。
【００１０】
請求項６に係る発明のヘッドマウントディスプレイは、請求項１ないし５のいずれか一項に記載のヘッドマウントディスプレイであって、さらに、複数回視力測定を行った場合、視力測定の際に、前回視力測定した際に表示した視力測定用パタンと同じ視力測定用パタンを前記画像出力部に出力させる手段を有することを特徴とするヘッドマウントディスプレイである。
【００１１】
請求項７に係る発明のヘッドマウントディスプレイは、請求項１ないし５のいずれか一項に記載のヘッドマウントディスプレイであって、さらに、複数回視力測定を行う場合、視力測定の際に、前回視力測定した際に表示した視力測定用パタンと共に、少なくとも前記前回視力測定した際に表示された視力測定用パタンより大きな視力測定用パタンを前記画像出力部に出力させる手段を有することを特徴とするヘッドマウントディスプレイである。
【００１２】
請求項８に係る発明のヘッドマウントディスプレイは、請求項１ないし７のいずれか一項に記載のヘッドマウントディスプレイであって、さらに、複数回視力測定を行う場合、視力測定の際に、前回視力測定した際に表示した視力測定用パタンを前記画像出力部に出力し、その後に前記視力測定用パタンとは異なる表示パタンを前記画像出力部に出力させる手段を有することを特徴とするヘッドマウントディスプレイである。
【００１３】
請求項９に係る発明のヘッドマウントディスプレイは、請求項１ないし８のいずれか一項に記載のヘッドマウントディスプレイであって、さらに、視力測定が行われた場合は、その視力測定時から所定時間経過した後に、再度視力測定をするようにユーザに促す情報を出力する手段を有することを特徴とするヘッドマウントディスプレイである。
【００１４】
【発明の実施の形態】
本発明のＨＭＤは、長時間ＨＭＤを使用した場合などにおいて、ユーザに目の疲労を的確に認知させる機能を有する。実施形態の説明に先立って、本発明における課題解決の原理について説明する。
【００１５】
一般に目が疲労した場合には、疲労していない場合に比べて、近い位置にピントが合うようになり、視力が落ちる。本発明は、この性質を利用したものであり、視力測定用パタンを画像出力させることにより、ユーザが容易に目の疲労を認知できるようにしたものである。
【００１６】
以下、本発明の実施形態について、図面を参照して説明する。
（第１の実施形態）
図１に、本発明の第１の実施形態に係るヘッドマウントディプレイの一例を示す。
【００１７】
図１に示すように、ヘッドマウントディスプレイ（以下、ＨＭＤと略記する）は、ユーザＵに対して画像を出力するための機能を有する画像出力部１００と、音声、音楽、効果音等の音響を発生させる機能を有する音響出力部２００と、画像出力部１００および音響出力部２００を一体的に連結すると共に、これらをユーザＵの頭部１に着脱自在に装着するための支持部３００とを有する。また、本発明のＨＭＤは、どの視力測定用パタンを表示させるかを選択できるパタン選択操作器１９０を有する。
【００１８】
このＨＭＤは、図１に示すように、ユーザＵの頭部１に、当該頭部１を挟むように装着される。すなわち、音響出力部２００がユーザＵの耳に当接した状態で、支持部３００が、それ自身が有する弾性力により、ユーザＵの頭部１を挟み込むことによって、頭部１に装着される。また、ＨＭＤは、画像表示信号および音響出力信号を出力する駆動ユニットＤを有し、頭に装着可能な各装置とはケーブル８００を介して接続される。
【００１９】
以下に各構成要素について説明する。
【００２０】
画像出力部１００は、図２に示すように、画像を現す画像表示信号を光信号に変換して画像を形成する電気−光変換器１１０と、形成された画像を拡大するレンズ系１２１ａ、１２１ｂと、該レンズ系１２１ａ、１２１ｂを収容する鏡筒１３０を有する光学系１２０と、これら全体的に収容するケース１４０とを有する。さらに、本実施形態では、画像表示部１００に、視度調整機構を有する。
【００２１】
本実施形態において用いられる電気−光変換器１１０は、ビットマップイメージの画像を形成する表示素子により構成することができるものである。この種の電気−光変換器１１０には、大別して、他の光源からの光についての透過率または反射率を変化させることによって画像を形成する形式のデバイスと、自らが発光し、その発光輝度を変化させることによって画像を形成する形式のデバイスとがある。前者の形式のデバイスとしては、例えば、透過率または反射率を変化させることができる液晶セルを二次元的に配置した液晶表示素子が挙げられる。後者の形式でのデバイスとしては、例えば、電気信号によりそれ自身が発光する発光素子を二次元的に配置した有機ＥＬ素子が挙げられる。本発明では、いずれの形式のデバイスを用いてもよい。本実施形態では、有機ＥＬ素子を二次元的に配置した発光表示素子を用いている。
【００２２】
また、電気−光変換器１１０では、例えば、情報処理装置のディスプレイ画面のように画面を形成することができる。もちろん、動画を表示することも可能である。
【００２３】
光学系１２０は、本実施形態では、レンズ系１２１ａ、１２１ｂとを有する。レンズ系１２１ａ、１２１ｂは、電気−光変換器１１０によって形成される画像を拡大する。具体的には、虚像を形成する。この虚像をユーザの水晶体が網膜上に結像させることにより、例えば、ユーザが大きな画像を見ているように表示することが可能となる。
【００２４】
鏡筒１３０は、前述したレンズ系１２１ａ，１２１ｂ、電気−光変換器１１０を収容している。また、鏡筒１３０は、外光が入射しないように遮光性材料により形成されている。
【００２５】
ケース１４０は、図２に示すように、覆い板１４１により形成されている。覆い板１４１は、例えば、遮光性のプラスチックにより形成されている。覆い板１４１のユーザＵとの対向面に開口部１４２が設けられている。この開口部１４２内に、レンズ系１２１が収容されている。また、ケース１４０の一端は、連結部１４３となっている。
【００２６】
視度調整機構は、図２に示すように、外周にローレットを施した円盤状の視度調整ツマミ１６０と、視度調整ツマミ１６０の中央部に連結固定された螺子部１６１と、螺子部１６１と接し、電気−光変換器１１０を送りねじ機構により位置変位可能に支持する電気−光変換器支持部１６２とを有する。
【００２７】
視度調整ツマミ１６０は、螺子部１６１を中心に回動可能である。螺子部１６１には、ネジのように螺旋状に切り込みが設けられている。
【００２８】
電気−光変換器支持部１６２は、円形の開口部１６３を有する。開口部１６３には、螺子部１６１の切り込みと合致（螺合）するように同様の切り込みが設けられている。
【００２９】
本実施形態では、視度調整ツマミ１６０を図１の矢印方向Ｘに回すと、それと連動して螺子部１６１が矢印方向Ｘに回動する。螺子部１６１が回動すると、電気−光変換器支持部１６２は図２の矢印方向Ｙに移動ようになっている。これにより、電気−光変換器１１０も矢印方向Ｙに移動する。この場合、ユーザにとっては虚像がより近くにあるように観察されることになる。逆に、視度調整ツマミ１６０を図１の矢印方向Ｘの逆方向に回すと、電気−光変換器１１０は、図２の矢印方向Ｙの逆方向に移動する。この場合、ユーザにとっては虚像がより遠くにあるように観察されることになる。この機構により、ユーザは、視度調整ツマミ１６０を所定の方向に回すことにより、画像にピントがあうように視度調整を行うことができる。これにより、ユーザは、視度調整ツマミ１６０を所定の方向に回すことにより、画像にピントがあうように視度調整を行うことができる。
【００３０】
音響出力部２００は、音響出力信号を音響に変換するものである。本実施形態では、図１に示す様に、左音響出力部２００Ｌと、右音響出力部２００Ｒとが設けられている。この音響出力部２００は、電気信号を音響に変換する不図示の音響変換器と、これを収容するケースと、ケースのユーザＵとの対向面に設けられてユーザの耳に当接する耳パッドとを有する。
【００３１】
音響出力部２００は、通常、ヘッドホンとして製品化されているものを用いることができる。また、音響出力部２００は、本実施形態では、その構造上、後述する支持部３００と共に、当該ＨＭＤをユーザＵの頭部１に装着させる際の、耳への当接部としても機能する。
【００３２】
なお、本実施形態では、音響出力部２００Ｌ側に、ケーブル８００と内部配線とを接続する接続部（図示せず）が設けられている。
【００３３】
支持部３００は、図１に示すように、左右の音響出力部２００Ｌと２００Ｒとを連結するバンド３１０と、バンド３１０の一端側に設けられた画像出力部支持アーム３２０とを有する。
【００３４】
バンド３１０は、ユーザＵの頭部１を後方から挟むことができるように湾曲した形状を持っている。そして、両端に音響出力部２００Ｌと２００Ｒとが連結固定されている。
【００３５】
パタン選択操作器１９０は、図１に示すように、音響出力部２００Ｌのユーザに対向する面の反対の側面に取り付けられている。すなわち、ユーザが容易に選択操作を行える位置に取り付けられている。本実施形態では、選択操作器１９０は、複数のノッチを有するダイヤル構造により構成される。複数のノッチに複数のパタンが個別に対応付けられている。そして、いずれかのノッチが選択されることにより、対応するパタンを特定する情報が生成される。パタン特定情報は、駆動ユニットＤの画像信号出力処理装置８５１に送られ、いずれの視力測定用パタンを画像出力するかの判断要素となる。
【００３６】
駆動ユニットＤには、図３で示すように、画像出力部１００に画像表示信号を送るため、当該画像表示信号を処理する画像出力信号処理装置８５１と、音響出力部２００に音響出力信号を送るための音響出力信号処理装置８５２と、全体を総合的に管理する中央制御装置８５４と、電源のオンオフおよび節電モードの制御を行うための電源制御回路８５６とを有する。また、ＨＭＤ本体の各装置との情報信号の授受は、入出力インタフェース８５８を介して行っている。また、電源のオンオフを行うためのメインスイッチＳＷを有する。さらに、ＨＭＤの頭部に装着される各装置と信号を授受するためのケーブル８００のプラグ８１０を接続するためのコネクタＣＮが設けられている。また、電源として、充電可能な電池８５７が用意されている。
【００３７】
駆動ユニットＤには、画像表示信号および音響出力信号を生成する基となる画像情報および音響情報を格納する記憶装置８５３が用意される。記憶装置８５３には、視力測定用パタンの画像データが格納されている。視力測定用パタンとしては、ユーザが自分の視力を認識できるものであればよく、ランドルト環やマルタクロスなどを用いることができる。
【００３８】
視力測定用パタンは、例えば、当該ＨＭＤの出荷時までに記憶装置８５３に記憶させておくことができる。また、ユーザが必要に応じて、視力測定用パタンを記憶装置８５３に記憶させるようにしてもよい。さらに、駆動ユニットＤをネットワークに接続して、必要な視力測定用パタンを随時ダウンロードするようにしてもよい。
【００３９】
また、駆動ユニットＤには、必要に応じて、外部より、画像情報および音響情報を受け入れるための通信装置を備えることもできる。
【００４０】
以上のように構成される実施形態のＨＭＤの動作について、視力測定用パタンを表示する動作を中心に説明する。図４は、視力測定用パタンを表示する動作を中心にＨＭＤの動作を説明したフローチャートである。
【００４１】
電源制御回路８５６から起動信号が出されると（Ｓ１１０）、中央制御装置８５４は、視力測定用パタンを出力するように画像出力信号処理装置８５１に命令する。そして、画像出力部１００は、視力測定用パタンを出力する（Ｓ１２０）。本実施形態のＨＭＤは、視力測定用パタンとして、図５（Ａ）のようなランドルト環１９５を表示する。同時に、中央制御装置８５４は、視力測定を促すメッセージを出力するように、画像出力信号処理装置８５１および音響出力信号処理装置８５２に命令する。そして、画像出力部１００および音響出力部２００は、視力測定を促すメッセージを出力する（Ｓ１３０）。メッセージの出力は、画像出力部１００に「視力測定をして下さい」などのメッセージ文字を表示したり、音響出力部２００から「視力測定をして下さい」などのメッセージ音声を出力したりすることにより行う。ユーザは、パタン選択操作器１９０を回し、図５（Ｂ）、（Ｃ）のように、表示される視力測定用パタンを変更させながら視力測定を行う。
【００４２】
ユーザによりパタン選択操作器１９０が回され所定のノッチが選択されると、そのノッチの情報が中央制御装置８５４に送られる。中央制御装置８５４は、選択されたノッチに対応する視力測定用パタンを記憶装置８５３から検索する。そして、検索した視力測定用パタンを表示するように画像出力信号処理部８５１に命令する。本実施形態のＨＭＤでは、パタン選択操作器１９０が図１の矢印方向Ｚに回されると、図５（Ｂ）のように、より大きなランドルト環を表示するようになっている。逆に、パタン選択操作器１９０が図１の矢印方向Ｚと反対方向に回されると、図５（Ｃ）のように、より小さなランドルト環を表示するようになっている。これにより、ユーザは見ることのできる最小のランドルト環を選択でき、自分の視力を認識することができる。このとき、ユーザは視度調整ツマミ１６０を回して視度調整することもできる。これらにより、ユーザはＨＭＤ使用直後の自分の視力を認識することができる。視度調整後、ユーザはそのまま、画像（テレビジョン映像、ビデオ映像、テレビゲーム映像等）、音声を視聴する。
【００４３】
次に、中央制御装置８５４は、起動から所定時間（例えば、１時間）が経過したかを判断する（Ｓ１４０）。所定時間が経過したと判断した場合は、中央制御装置８５４は、再び視力測定用パタンが出力するように、画像出力信号処理装置８５１に命令する。そして、画像出力部１００は、視力測定用パタンを出力する（Ｓ１５０）。同時に、中央制御装置８５４は、視力測定を促すメッセージを出力するように、画像出力信号処理装置８５１および音響出力信号処理装置８５２に命令する。そして、画像出力部１００および音響出力部２００は、視力測定を促すメッセージを出力する（Ｓ１６０）。このとき表示する視力測定用パタンは、前回の視力測定においてユーザが選択した視力測定用パタンと同一であるのが好ましい。こうすることで、ユーザに、自身に合った視力測定用パタンを迅速に選択させることができる。
【００４４】
前回と同様に、ユーザは、パタン選択操作器１９０を回し、表示される視力測定用パタンを変更させながら視力測定を行う。ユーザは、前回見えたランドルト環が見づらくなった場合、目が疲労したことを認識することができる。
【００４５】
なお、この際、中央制御装置８５４は、パタン選択操作器１９０の回転を検出して、その回転に応じて視力測定用パタンが変化するように画像出力信号処理装置８５１へ命令を出力することで達成可能である。
【００４６】
他にも、パタン選択操作器１９０を回さなくとも、前回の視力測定においてユーザが選択した視力測定用パタンと同一パタンを表示し、所定時間後に表示パタンが自動的に代わるようにすれば、使用者は視力の変化の有無を操作無しで認識することが可能となる。
【００４７】
この場合では、中央制御装置８５４は、前回選択された視力測定用パタンを所定時間後に表示した後に、画像出力信号処理装置８５１へ異なるパタンを表示する命令を送信すれば達成可能である。
【００４８】
また、更に、前回の視力測定においてユーザが選択した視力測定用パタンを表示すると同時に、その視力測定用パタンよりも大きなパタンも同一画面上に出力することで、使用者が自身の視力の変化を容易に把握することができ、どれだけ目が疲労しているかも一度に把握できるので効果的である。その際、前回選択した視力測定用パタンよりも大きなパタンを複数同時に表示することが好ましい。
【００４９】
この場合、中央制御装置８５４が画像出力信号処理装置８５１に前回選択した視力測定用パタンとそれより大きいパタンを同時に出力するように命令を出力すれば達成可能である。
【００５０】
なお、２回目の視力測定を促すまでの所定時間は、ユーザが選択できるようにしてもよい。
【００５１】
また、視力測定を促すメッセージの出力は、画像によって行っても、音声によって行ってもよく、両方で同時に行ってもよい。
【００５２】
また、ＨＭＤにより視力測定をするように促されることなく、ユーザが自ら視力測定を行う場合においても、上記実施形態を適用することができる。すなわち、パタン選択操作器１９０が回されると自動的に視力測定用パタンを表示画面１５０に表示するようにしてもよい。
（最初の視力測定を促すメッセージの出力時期）
上記実施例では、電源をオンしたときに、視力測定用パタンを表示し、視力測定を促すメッセージを出力することとしている。しかし、本発明のＨＭＤは、これに限られない。
【００５３】
ユーザがＨＭＤを装着したときに、視力測定用パタンを表示し、視力測定を促すメッセージを出力することとしてもよい。こうすれば、ＨＭＤの使用開始時の目が疲労していないと思われるときに最初の視力測定を行わせることができる。
【００５４】
この場合、ＨＭＤにはユーザの頭部に装着されたかどうかを検出する頭部装着検出機構を設ける。頭部装着を直接的に検出するのは、容易ではないが、ＨＭＤに特定の構造を持たせることで、間接的に頭部への装着を検出することができる。例えば、バンド３１０の中間付近にヒンジを設け、ヒンジの開閉を検出するようにした構造；バンド３１０と音響出力部２００との連結部に加わる押圧を圧力センサにより検出するようにした構造；バンド３１０の湾曲の程度を検出する曲げセンサをバンド３１０に設けた構造；などをＨＭＤに持たせることで、頭部への装着を検出できる。
【００５５】
また、図６に示すように、画像出力部１００が眼前から待避可能なＨＭＤにおいては、画像出力部が眼前に配置されたときに、視力測定用パタンを表示し、視力測定を促すメッセージを出力することとしてもよい。こうすれば、ユーザが画像の観察を開始した直後の目が疲労していないと思われるときに最初の視力測定を行わせることができる。
【００５６】
図６において、バンド３１０は、本体３１１と、画像出力部支持アーム３２０を出没自在に収容する画像出力部支持アーム収容部３１２とにより構成される。
【００５７】
画像出力部支持アーム収容部３１２には、本実施形態では、音響出力部２００Ｌに隣接して、開口部３１２ｂが設けられている。画像出力部支持アーム３２０は、この開口部３１２ｂから出没することができる。なお、開口部３１２ｂには、図示していないが、画像出力部支持アーム３２０が、引き出された際に、抜け落ちないようにするためのストッパが設けられている。また、画像出力部支持アーム収容部３１２には、画像出力部支持アーム３２０の出没を円滑に行うため、案内レール（図示せず）が設けられる。これにより、画像出力部支持アーム３２０が円滑にスライドすることになる。従って、画像出力部支持アーム３２０を使用可能状態とするため、また、使用終了後に待避させるために、ユーザＵにより行われる出没操作が容易となる。
【００５８】
画像出力部支持アーム収容部３１２の底部３１２ａには、画像出力部支持アーム３２０の存否を検出するセンサ４００が取り付けられる。
【００５９】
このセンサ４００は、画像出力部支持アーム収容部３１２に、画像出力部支持アーム３２０が収容されて、アーム３２０の端部３２１が当該センサ４００に接触すると、それを検出する。例えば、アーム３２０の端部３２１が当該センサ４００に接触しているときは画像出力部１００の消費電力を少なくする、または画像表示をオフしたり、または、ＨＭＤ全体をオフしたり、接触していないときは反対にオンとなるように設定しておく。画像出力部支持アーム３２０が引き出されている場合には、該アーム３２０の端部３２１が当該センサ４００に接触していないので、センサ４００はオンとなる。反対に、接触している場合には、センサ４００はオフとなる。
【００６０】
これにより、画像表示部１００を眼前に配置した状態かどうかを検出できる。そして、眼前に配置したことを検出したときに、最初の視力測定を促すようにすることができる。
（２回目以降の視力測定を促す時期）
上記実施形態のＨＭＤは、ＨＭＤの使用中に、ユーザに対し、複数回、視力測定を促すよう構成されていてもよい。この場合、２回目以降の視力測定を促す時期は、経験的に知られる人間の眼精疲労のパターンに応じて、変化させることもできる。
【００６１】
例えば、最初の視力測定の時期から２回目の視力測定の時期は比較的長く（例えば２時間）、２回目と３回目の間は短く（例えば１時間）、３回目と４回目は、さらに短く（例えば３０分）という具合にする。こうすれば、連続して長期に眼を使うと、疲れの度合いが早くなるという目の性質を考慮できる。
【００６２】
以上に述べた実施形態のヘッドマウントディスプレイは、画像出力信号を生成すると共に、音響出力信号を出力する駆動ユニットに、ケーブルを介して接続される形式のものである。しかし、本発明が適用されるＨＭＤは、これに限られない。例えば、図７に示すように、駆動ユニットとＨＭＤとを一体化した構造を有するものにも適用することができる。また、駆動ユニットとＨＭＤとを無線で接続する構成のものに適用することもできる。後者の場合、無線通信のための回路と電源とがＨＭＤに搭載される。また、駆動ユニット側にも、無線通信のための回路が搭載される。
【００６３】
また、以上の実施形態では、画像出力部および音響出力部の両者を有する例を示した。本発明の適用は、これに限られない。例えば、画像出力部のみを有するＨＭＤにも適用可能である。
【００６４】
【発明の効果】
本発明によれば、目の疲労を反映した情報を基に、ユーザの目の疲労を的確に測定させることができるヘッドマウントディスプレイを提供することできる。
【図面の簡単な説明】
【図１】図１は本発明に係る第１の実施形態に係るヘッドマウントディスプレイの外観を示す斜視図。
【図２】図２は第１の実施形態において用いられる画像出力部の構成を示す一部破断平面図。
【図３】図３は本発明に係る第１の実施形態に適用可能なヘッドマウントディスプレイ駆動ユニットの構成要素を表すブロック図。
【図４】図４は視力測定を中心に第１の実施形態の動作を示すフローチャート。
【図５】図５（Ａ）、（Ｂ）、（Ｃ）は視力測定用パタンの表示例を示す図
【図６】図６は本発明にかかる第１実施形態の変形例に係るヘッドマウントディスプレイの一部破断平面図。
【図７】図７は本発明にかかる駆動ユニット一体型ヘッドマウントディスプレイの外観を示す斜視図。
【符号の説明】
Ｄ…駆動ユニット、ＣＮ…コネクタ、ＳＷ…電源スイッチ、
Ｕ…ユーザ、１…頭部、２…眼、
１００…画像出力部、１１０…電気−光変換器、１２０…光学系、１２１ａ，１２１ｂ…レンズ系、１３０…鏡筒、１４０…ケース、１５０…表示画面、
１６０…視度調整ツマミ、１６１…螺子部、１６２…電気−光変換器支持部、１６３…開口部、
１９０…パタン選択操作器、１９５…視力測定用パタン、
２００（２００Ｌ，２００Ｒ）…音響出力部、
３００…支持部、３１０…バンド、３１２…画像出力部支持アーム収容部、
３２０…画像出力部支持アーム、４００…センサ、
８００…ケーブル、８１０…プラグ、
８５１…画像出力信号処理装置、８５２…音響出力信号処理装置、８５３…記憶装置、８５４…中央制御装置、８５６…電源制御回路、８５７…電池、８５８…入出力インタフェース
【図１】
2004286833.tif 000003
【図２】
2004286833.tif 000004
【図３】
2004286833.tif 000005
【図４】
2004286833.tif 000006
【図５】
2004286833.tif 000007
【図６】
2004286833.tif 000008
【図７】
2004286833.tif 000009